(57)【要約】【課題】アプリケーションを削除する際にユーザデータを残す。【解決手段】データ記憶装置７のアプリケーションデータ８は、ダウンロードしたアプリケーションの管理情報を保存する管理情報領域９とダウンロードしたアプリケーション自体を保存するアプリケーション領域１０とアプリケーションに対するユーザデータを保存するユーザデータ領域１１からなる。アプリケーション処理手段４は、入力装置１からユーザデータを残した形のアプリケーションの削除要求をされると、削除対象の前記アプリケーションデータ８のアプリケーション領域１０のみ削除する。【選択図】      図１
2005157657.tif 000002
【特許請求の範囲】
【請求項１】
携帯端末にあって、データ記憶装置にダウンロードしたアプリケーションの名前とダウンロード先のアドレスを含んでなる管理情報を保存する管理情報領域とダウンロードした前記アプリケーション自体を保存するアプリケーション領域と前記アプリケーションに対するユーザデータを保存するユーザデータ領域からなるアプリケーションデータを格納する記憶領域を予め備え、予め備えた入力装置から前記アプリケーションの削除要求をされると、前記データ記憶装置に保存されている前記アプリケーションの一覧を予め備えた出力装置に表示し、削除する前記アプリケーションが選択されると、前記出力装置で前記アプリケーションの前記ユーザデータを残すかどうか確認し、「前記ユーザデータを残す」が選択された場合は、削除対象の前記アプリケーションの前記アプリケーション領域のみ削除することを特徴とする携帯端末におけるアプリケーションデータ管理方法。
【請求項２】
前記出力装置で前記アプリケーションの前記ユーザデータを残すかどうか確認し、「前記ユーザデータを残さない」が選択された場合は、削除対象の前記アプリケーションのアプリケーションデータを全て削除することを特徴とする請求項１記載の携帯端末におけるアプリケーションデータ管理方法。
【請求項３】
削除対象の前記アプリケーションの前記アプリケーション領域のみ削除すると、前記出力装置に表示された前記アプリケーションの一覧の中の前記アプリケーションに予め定められた印を付加して表示することを特徴とする請求項１記載の携帯端末におけるアプリケーションデータ管理方法。
【請求項４】
予め備えた入力装置から前記アプリケーションの再ダウンロードを要求をされると、前記アプリケーション一覧画面を表示し、前記印により示された前記アプリケーションが選択されると、対応する前記管理情報領域に保存されている前記アプリケーションのアドレスを基に予め備えた通信装置により前記アプリケーションのダウンロード先から対象の前記アプリケーションを再ダウンロードし、再ダウンロードした前記アプリケーションを前記アプリケーションの前記管理情報、前記ユーザデータと組み合わせ前記アプリケーションデータを構成することを特徴とする請求項３記載の携帯端末におけるアプリケーションデータ管理方法。
【請求項５】
前記アプリケーションの再ダウンロードが行われると、前記出力装置に表示された前記アプリケーションの一覧の中の前記アプリケーションの前記印を消去することを特徴とする請求項４記載の携帯端末におけるアプリケーションデータ管理方法。
【請求項６】
前記入力装置から前記アプリケーションのダウンロードを要求をされると、ネットワークを介しサーバから前記アプリケーションをダウンロードし、前記データ記憶装置に同じアプリケーションが既に保存されているか確認を行ない、同じ前記アプリケーションが保存されていない場合は、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする請求項１記載の携帯端末におけるアプリケーションデータ管理方法。
【請求項７】
前記データ記憶装置に同じアプリケーションがあった場合は、対応する前記アプリケーションに対し、前記アプリケーション領域が存在するか確認し、前記アプリケーション領域が存在する場合は、ダウンロードした前記アプリケーションを破棄することを特徴とする請求項６記載の携帯端末におけるアプリケーションデータ管理方法。
【請求項８】
前記アプリケーション領域が削除されている場合は、保存されている前記ユーザデータを使用するか確認し、保存されている前記ユーザデータを使用しない場合は、保存されている前記アプリケーションデータを削除し、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする請求項７記載の携帯端末におけるアプリケーションデータ管理方法。
【請求項９】
保存されている前記ユーザデータを使用する場合は、ダウンロードした前記アプリケーションを前記アプリケーション領域に保存し、前記アプリケーション対応の前記管理情報領域、前記ユーザデータ領域と組み合わせることを特徴とする請求項８記載の携帯端末におけるアプリケーションデータ管理方法。
【請求項１０】
携帯端末であって、データ記憶装置にダウンロードしたアプリケーションの名前とダウンロード先のアドレスを含んでなる管理情報を保存する管理情報領域とダウンロードした前記アプリケーション自体を保存するアプリケーション領域と前記アプリケーションに対するユーザデータを保存するユーザデータ領域からなるアプリケーションデータを格納する記憶領域と、予め備えた入力装置から前記アプリケーションの削除要求をされると、前記データ記憶装置に保存されている前記アプリケーションの一覧を予め備えた出力装置に表示し、削除する前記アプリケーションが選択されると、前記出力装置で前記アプリケーションの前記ユーザデータを残すかどうか確認し、「前記ユーザデータを残す」が選択された場合は、アプリケーション削除手段を用いて削除対象の前記アプリケーションの前記アプリケーション領域のみ削除するアプリケーション管理手段を含んで構成されることを特徴とする携帯端末。
【請求項１１】
前記アプリケーション管理手段は、前記出力装置で前記アプリケーションの前記ユーザデータを残すかどうか確認し、「前記ユーザデータを残さない」が選択された場合は、アプリケーション削除手段を用いて削除対象の前記アプリケーションの前記アプリケーション領域を削除し、ユーザデータ削除手段を用いて削除対象の前記アプリケーションの前記管理情報領域及び前記ユーザデータ領域を削除することを特徴とする請求項１０記載の携帯端末。
【請求項１２】
前記アプリケーション管理手段は、削除対象の前記アプリケーションの前記アプリケーション領域のみ削除されると、前記出力装置に表示された前記アプリケーションの一覧の中の前記アプリケーションに予め定められた印を付加して表示することを特徴とする請求項１０記載の携帯端末。
【請求項１３】
前記アプリケーション管理手段は、予め備えた入力装置から前記アプリケーションの再ダウンロードを要求をされると、前記アプリケーション一覧画面を表示し、前記印により示された前記アプリケーションが選択されると、対応する前記管理情報領域に保存されている前記アプリケーションのアドレスを基に予め備えた通信装置により前記アプリケーションのダウンロード先から対象の前記アプリケーションを再ダウンロードし、アプリケーション登録手段を用いて再ダウンロードした前記アプリケーションを前記アプリケーションの前記管理情報、前記ユーザデータと組み合わせ前記アプリケーションデータを構成することを特徴とする請求項１２記載の携帯端末。
【請求項１４】
前記アプリケーション管理手段は、前記アプリケーションの再ダウンロードが行われると、前記出力装置に表示された前記アプリケーションの一覧の中の前記アプリケーションの前記印を消去することを特徴とする請求項１３記載の携帯端末。
【請求項１５】
前記アプリケーション管理手段は、前記入力装置から前記アプリケーションのダウンロードを要求をされると、ネットワークを介しサーバから前記アプリケーションをダウンロードし、前記データ記憶装置に同じアプリケーションが既に保存されているか確認を行ない、同じ前記アプリケーションが保存されていない場合は、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする請求項１０記載の携帯端末。
【請求項１６】
前記アプリケーション管理手段は、前記データ記憶装置に同じアプリケーションがあった場合は、対応する前記アプリケーションに対し、前記アプリケーション領域が存在するか確認し、前記アプリケーション領域が存在する場合は、ダウンロードした前記アプリケーションを破棄することを特徴とする請求項１５記載の携帯端末。
【請求項１７】
前記アプリケーション管理手段は、前記アプリケーション領域が削除されている場合は、保存されている前記ユーザデータを使用するか確認し、保存されている前記ユーザデータを使用しない場合は、保存されている前記アプリケーションデータを削除し、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする請求項１６記載の携帯端末。
【請求項１８】
前記アプリケーション管理手段は、保存されている前記ユーザデータを使用する場合は、ダウンロードした前記アプリケーションを前記アプリケーション領域に保存し、前記アプリケーション対応の前記管理情報領域、前記ユーザデータ領域と組み合わせることを特徴とする請求項１７記載の携帯端末。
【発明の詳細な説明】
【技術分野】
【０００１】
本発明は携帯端末におけるアプリケーションデータ管理方法及び携帯端末に関し、特に、通信によりダウンロードしたゲーム等のアプリケーションに対し、アプリケーションに対するユーザデータを保持したまま、アプリケーションのみを削除する機能を有し、さらに削除したアプリケーションを再ダウンロードした際に削除前と同様にユーザデータを利用可能とする携帯端末におけるアプリケーションデータ管理方法及び携帯端末に関する。
【背景技術】
【０００２】
従来、携帯電話機などの携帯端末において、通信によりゲーム等のアプリケーションをダウンロードし、携帯端末に保存するとともに、最高得点等のアプリケーションに対するユーザデータを携帯端末に保存する機能が発表されている。
【０００３】
しかしながら、携帯端末では大量の保存領域を確保することが難しく、新規にアプリケーションをダウンロードした際に保存領域が空いていない場合は、すでに保存されているアプリケーションを削除し、保存領域に空き領域を作る必要がある。
【０００４】
このとき、アプリケーションを削除した際にアプリケーションに対するユーザデータも同時に削除していた（例えば、特許文献１参照。）。
【０００５】
【特許文献１】特開２００２−２９７４８３号公報
【発明の開示】
【発明が解決しようとする課題】
【０００６】
上述した従来の携帯端末では、新規にアプリケーションをダウンロードした際に保存領域が空いていない場合は、すでに保存されているアプリケーションを削除し、保存領域に空き領域を作る必要があるが、このとき、アプリケーションを削除した際にアプリケーションに対するユーザデータも同時に削除してしまうため、削除したアプリケーションを再ダウンロードしてもユーザデータは初期の値となってしまい、削除前に使用していたユーザデータを再ダウンロード後に利用することができないという問題があった。
【０００７】
本発明は、アプリケーションを削除する際にユーザデータを残すことを可能とし、さらに削除したアプリケーションを再ダウンロードした際に削除前と同様にユーザデータを利用可能とする携帯端末におけるアプリケーション管理方法及び携帯端末を提供する。
【課題を解決するための手段】
【０００８】
本願の第１の発明は、携帯端末にあって、データ記憶装置にダウンロードしたアプリケーションの名前とダウンロード先のアドレスを含んでなる管理情報を保存する管理情報領域とダウンロードした前記アプリケーション自体を保存するアプリケーション領域と前記アプリケーションに対するユーザデータを保存するユーザデータ領域からなるアプリケーションデータを格納する記憶領域を予め備え、予め備えた入力装置から前記アプリケーションの削除要求をされると、前記データ記憶装置に保存されている前記アプリケーションの一覧を予め備えた出力装置に表示し、削除する前記アプリケーションが選択されると、前記出力装置で前記アプリケーションの前記ユーザデータを残すかどうか確認し、「前記ユーザデータを残す」が選択された場合は、削除対象の前記アプリケーションの前記アプリケーション領域のみ削除することを特徴とする。
【０００９】
本願の第２の発明は、第１の発明の前記出力装置で前記アプリケーションの前記ユーザデータを残すかどうか確認し、「前記ユーザデータを残さない」が選択された場合は、削除対象の前記アプリケーションのアプリケーションデータを全て削除することを特徴とする。
【００１０】
本願の第３の発明は、第１の発明にて削除対象の前記アプリケーションの前記アプリケーション領域のみ削除すると、前記出力装置に表示された前記アプリケーションの一覧の中の前記アプリケーションに予め定められた印を付加して表示することを特徴とする。
【００１１】
本願の第４の発明は、第３の発明にて予め備えた入力装置から前記アプリケーションの再ダウンロードを要求をされると、前記アプリケーション一覧画面を表示し、前記印により示された前記アプリケーションが選択されると、対応する前記管理情報領域に保存されている前記アプリケーションのアドレスを基に予め備えた通信装置により前記アプリケーションのダウンロード先から対象の前記アプリケーションを再ダウンロードし、再ダウンロードした前記アプリケーションを前記アプリケーションの前記管理情報、前記ユーザデータと組み合わせ前記アプリケーションデータを構成することを特徴とする。
【００１２】
本願の第５の発明は、第４の発明にて前記アプリケーションの再ダウンロードが行われると、前記出力装置に表示された前記アプリケーションの一覧の中の前記アプリケーションの前記印を消去することを特徴とする。
【００１３】
本願の第６の発明は、第１の発明の前記入力装置から前記アプリケーションのダウンロードを要求をされると、ネットワークを介しサーバから前記アプリケーションをダウンロードし、前記データ記憶装置に同じアプリケーションが既に保存されているか確認を行ない、同じ前記アプリケーションが保存されていない場合は、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする。
【００１４】
本願の第７の発明は、第６の発明にて前記データ記憶装置に同じアプリケーションがあった場合は、対応する前記アプリケーションに対し、前記アプリケーション領域が存在するか確認し、前記アプリケーション領域が存在する場合は、ダウンロードした前記アプリケーションを破棄することを特徴とする。
【００１５】
本願の第８の発明は、第７の発明にて前記アプリケーション領域が削除されている場合は、保存されている前記ユーザデータを使用するか確認し、保存されている前記ユーザデータを使用しない場合は、保存されている前記アプリケーションデータを削除し、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする。
【００１６】
本願の第９の発明は、第８の発明にて保存されている前記ユーザデータを使用する場合は、ダウンロードした前記アプリケーションを前記アプリケーション領域に保存し、前記アプリケーション対応の前記管理情報領域、前記ユーザデータ領域と組み合わせることを特徴とする。
【００１７】
本願の第１０の発明は、携帯端末であって、データ記憶装置にダウンロードしたアプリケーションの名前とダウンロード先のアドレスを含んでなる管理情報を保存する管理情報領域とダウンロードした前記アプリケーション自体を保存するアプリケーション領域と前記アプリケーションに対するユーザデータを保存するユーザデータ領域からなるアプリケーションデータを格納する記憶領域と、予め備えた入力装置から前記アプリケーションの削除要求をされると、前記データ記憶装置に保存されている前記アプリケーションの一覧を予め備えた出力装置に表示し、削除する前記アプリケーションが選択されると、前記出力装置で前記アプリケーションの前記ユーザデータを残すかどうか確認し、「前記ユーザデータを残す」が選択された場合は、アプリケーション削除手段を用いて削除対象の前記アプリケーションの前記アプリケーション領域のみ削除するアプリケーション管理手段を含んで構成されることを特徴とする。
【００１８】
本願の第１１の発明は、第１０の発明にて前記アプリケーション管理手段は、前記出力装置で前記アプリケーションの前記ユーザデータを残すかどうか確認し、「前記ユーザデータを残さない」が選択された場合は、アプリケーション削除手段を用いて削除対象の前記アプリケーションの前記アプリケーション領域を削除し、ユーザデータ削除手段を用いて削除対象の前記アプリケーションの前記管理情報領域及び前記ユーザデータ領域を削除することを特徴とする。
【００１９】
本願の第１２の発明は、第１０の発明にて前記アプリケーション管理手段は、削除対象の前記アプリケーションの前記アプリケーション領域のみ削除されると、前記出力装置に表示された前記アプリケーションの一覧の中の前記アプリケーションに予め定められた印を付加して表示することを特徴とする。
【００２０】
本願の第１３の発明は、第１２の発明にて前記アプリケーション管理手段は、予め備えた入力装置から前記アプリケーションの再ダウンロードを要求をされると、前記アプリケーション一覧画面を表示し、前記印により示された前記アプリケーションが選択されると、対応する前記管理情報領域に保存されている前記アプリケーションのアドレスを基に予め備えた通信装置により前記アプリケーションのダウンロード先から対象の前記アプリケーションを再ダウンロードし、アプリケーション登録手段を用いて再ダウンロードした前記アプリケーションを前記アプリケーションの前記管理情報、前記ユーザデータと組み合わせ前記アプリケーションデータを構成することを特徴とする。
【００２１】
本願の第１４の発明は、第１３の発明にて前記アプリケーション管理手段は、前記アプリケーションの再ダウンロードが行われると、前記出力装置に表示された前記アプリケーションの一覧の中の前記アプリケーションの前記印を消去することを特徴とする。
【００２２】
本願の第１５の発明は、第１０の発明にて前記アプリケーション管理手段は、前記入力装置から前記アプリケーションのダウンロードを要求をされると、ネットワークを介しサーバから前記アプリケーションをダウンロードし、前記データ記憶装置に同じアプリケーションが既に保存されているか確認を行ない、同じ前記アプリケーションが保存されていない場合は、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする。
【００２３】
本願の第１６の発明は、第１５の発明にて前記アプリケーション管理手段は、前記データ記憶装置に同じアプリケーションがあった場合は、対応する前記アプリケーションに対し、前記アプリケーション領域が存在するか確認し、前記アプリケーション領域が存在する場合は、ダウンロードした前記アプリケーションを破棄することを特徴とする。
【００２４】
本願の第１７の発明は、第１６の発明にて前記アプリケーション管理手段は、前記アプリケーション領域が削除されている場合は、保存されている前記ユーザデータを使用するか確認し、保存されている前記ユーザデータを使用しない場合は、保存されている前記アプリケーションデータを削除し、前記アプリケーションの格納エリアがあるかどうかを調べ、前記格納エリアがある場合は、新たにダウンロードした前記アプリケーションに対して前記アプリケーションデータを作成し、前記データ記憶装置に保存することを特徴とする。
【００２５】
本願の第１８の発明は、第１７の発明にて前記アプリケーション管理手段は、保存されている前記ユーザデータを使用する場合は、ダウンロードした前記アプリケーションを前記アプリケーション領域に保存し、前記アプリケーション対応の前記管理情報領域、前記ユーザデータ領域と組み合わせることを特徴とする。
【発明の効果】
【００２６】
本発明は、携帯端末において、アプリケーションを削除する際にユーザデータを残すことを可能とし、さらに削除したアプリケーションを再ダウンロードした際に削除前と同様にユーザデータを利用可能とする効果がある。
【発明を実施するための最良の形態】
【００２７】
次に、本発明を実施するための最良の形態について図面を参照して詳細に説明する。
【００２８】
図１は本発明に関わる携帯端末の構成例を示す図である。
【００２９】
図１を参照すると、本実施の形態の携帯端末は、キーボード等の入力装置１と、ディスプレイ装置等の出力装置２とアプリケーションの取得等の通信を行う通信装置３と、データ処理装置６とデータ記憶装置７とを含んで構成される。
【００３０】
データ処理装置６は、アプリケーションの登録、表示、実行等の制御を行なうアプリケーション処理手段４と、アプリケーションのダウンロード等の通信の制御を行なう通信処理手段５を含んで構成される。
【００３１】
データ記憶装置７は複数のダウンロードしたアプリケーションデータ８を含む。
【００３２】
アプリケーションデータ８では、管理情報領域９、アプリケーション領域１０、ユーザデータ領域１１から構成される。
【００３３】
管理情報領域９は、ダウンロードしたアプリケーションの名前やダウンロード先のアドレス等を保存する。アプリケーション領域１０は、ダウンロードしたアプリケーション自体を保存する。ユーザデータ領域１１は、アプリケーションに対するユーザデータを保存する。
【００３４】
なお、データ記憶装置７はデータを動的に管理することにより、任意のデータを削除することにより、他のデータ用の空き領域を確保することを可能とする。
【００３５】
図２はアプリケーション処理手段４のブロック図を示したものである。
【００３６】
アプリケーション処理手段４は、アプリケーション管理部１２と、アプリケーション登録部１３と、管理情報登録部１４と、アプリケーション削除部１５と、ユーザデータ削除部１６と、アプリケーション実行部１７とから構成される。
【００３７】
アプリケーション管理部１２は、入力装置１から入力されたユーザ操作内容や通信処理手段５から入力されたデータ等からアプリケーションの登録や削除などの管理を行なう。
【００３８】
アプリケーション登録部１３は、アプリケーション領域１０に新規にアプリケーションの登録処理を行なう。
【００３９】
管理情報登録部１４は、管理情報領域９及びユーザデータ領域１１に新規に登録処理を行なう。
【００４０】
アプリケーション削除部１５は、アプリケーション領域１０の削除処理を行なう。
【００４１】
ユーザデータ削除部１６は、管理情報領域９及びユーザデータ領域１１の削除処理を行なう。
【００４２】
アプリケーション実行部１７は、登録されているアプリケーションを実行する。
【００４３】
次に、本発明を実施するための最良の形態の動作について図面を参照して説明する。 
図３はアプリケーション削除時のアプリケーション処理手段４の動作を示す図である。
【００４４】
入力装置１からアプリケーションの削除を要求した際、アプリケーション管理部１２は、データ記憶装置７に保存されているアプリケーションの一覧を出力装置２に表示する（ステップＡ１）。ここでユーザが削除するアプリケーションを選択すると（ステップＡ２）、出力装置２にユーザデータを残すか確認する画面が表示する（ステップＡ３）。
【００４５】
ここで、ＹＥＳが選択された場合は、アプリケーション管理部１２からアプリケーション削除部１５が呼び出され、削除対象のアプリケーションのアプリケーション領域１０のみ削除され（ステップＡ５）、管理領域９、ユーザデータ領域１１は保持されたままとなる。
【００４６】
確認画面にて、ＮＯが選択された場合は、アプリケーション管理部１２は、アプリケーション削除部１５及びユーザデータ削除部１６を用いて、削除対象のアプリケーションのアプリケーションデータ８（管理情報領域９、アプリケーション領域１０、ユーザデータ領域１１）を全て削除する（ステップＡ６）。
【００４７】
図４はアプリケーション削除時の表示の例を示す図である。
【００４８】
アプリケーション削除時に、画面にアプリケーションの一覧が表示される（画面１）。ここで、削除するアプリケーションを選択すると、ユーザデータを残すかの確認画面が表示される（画面２）。ＹＥＳを選択した場合、削除対象アプリケーションのアプリケーション領域１０のみが削除され、アプリケーションの一覧画面が表示される（画面３）。
【００４９】
ここで、削除を行なったアプリケーションは一覧画面に表示されたままとなり、アイコン等によりアプリケーション領域１０のみが削除され、管理領域９、ユーザデータ領域１１が保持されていることを示す。
【００５０】
図５はアプリケーション領域１０のみを削除したアプリケーションを再ダウンロードする際のアプリケーション処理手段４の動作を示す図である。
【００５１】
入力装置１からアプリケーションの再ダウンロードを要求した際、アプリケーション管理部１２はアプリケーション一覧画面を表示する（ステップＡ７）。ここで、アイコン等により示されたアプリケーション領域１０のみが削除されているアプリケーションを選択すると（ステップＡ８）、ダウンロードを行なうかの確認画面を表示する（ステップＡ９）。
【００５２】
ここで、ＹＥＳを選択した場合、アプリケーション管理部１２は、対応する管理情報領域９に保存されているアプリケーションのアドレスを基に、通信装置３によりアプリケーションのダウンロード先と通信を行い、対象のアプリケーションを再ダウンロードする（ステップＡ１１）。ここで、再ダウンロードしたアプリケーションはアプリケーション登録部１３により、ステップＡ８にて選択されたアプリケーションの管理情報９、ユーザデータ１１と組み合わされ、アプリケーションデータ８を構成する。
【００５３】
この機能により、データ記憶装置７に空き領域が無くなった場合に、アプリケーション領域１０のみを削除することでユーザデータ領域１１を保持したままデータ記憶装置７に空き領域を確保し、さらにユーザデータ領域１１が保持されているアプリケーションを再ダウンロードすることにより、アプリケーションを削除する前と同じユーザデータを使用したアプリケーションの実行が可能となる。
【００５４】
なお、管理情報領域９及びユーザデータ領域１１を持たないアプリケーションを新規にダウンロードする場合は、アプリケーション管理部１２からアプリケーション登録部１３、管理情報登録部１４がそれぞれ呼び出し、アプリケーションをデータ記憶装置７に登録する。
【００５５】
図６はアプリケーションを再ダウンロードする際の表示の例を示す図である。
【００５６】
アプリケーションを再ダウンロードする際に、画面にアプリケーションの一覧を表示する（画面４）。ここで、アイコン等により示された、アプリケーション領域１０が削除されているアプリケーションを選択すると、ダウンロードを行なうかの確認画面が表示される（画面５）。
【００５７】
ここで、ダウンロードを選択すると、対応するアプリケーションのダウンロードを行い、アプリケーションの一覧画面が表示される（画面６）。このとき、アプリケーション領域１０が保存されているため、画面４にて表示されていたアプリケーション領域を持たないことを示すアイコン等は消去される。
【００５８】
図７はアプリケーションをダウンロードした際のアプリケーション処理手段４の動作を示す図である。
【００５９】
入力装置１からアプリケーションのダウンロードを要求した際、アプリケーション管理部１２は、ブラウザ機能等によりアプリケーションを新規にダウンロードし（ステップＡ１２）、管理情報領域９に保存されているダウンロード先のアドレス等から、データ記憶装置７に同じアプリケーションが既に保存されているか確認を行なう（ステップＡ１３）。
【００６０】
同じアプリケーションが保存されていない場合は、空きエリアが十分かどうかを調べ（ステップＡ１９）、空きエリアがある場合は、新たにダウンロードしたアプリケーションに対してアプリケーションデータ８を作成し、データ記憶装置７に保存する（ステップＡ２０）。空きエリアがない場合は、処理を終了する。
【００６１】
データ記憶装置７に同じアプリケーションがあった場合は、対応するアプリケーションに対し、アプリケーション領域１０が存在するか確認する（ステップＡ１４）。アプリケーション領域１０が存在する場合は、すでにダウンロード済みであることからダウンロードしたデータを破棄する（ステップＡ１８）。
【００６２】
アプリケーション領域１０が削除されている場合（管理情報領域９、ユーザデータ領域１１のみある場合）は、保存されているユーザデータを使用するか確認の表示を行なう（ステップＡ１５）。
【００６３】
ここで、保存されているユーザデータを使用しない場合は、ユーザデータ削除部１６により、保存されているアプリケーションデータ８（管理情報領域９、ユーザデータ領域１１）を削除し（ステップＡ１６）、ステップＡ１９に進む。
【００６４】
保存されているユーザデータを使用する場合は、空きエリアが十分かどうか調べ（ステップＡ１５−１）、空きエリアがある場合は、アプリケーション登録部１３により、ダウンロードしたアプリケーションをアプリケーション領域１０に保存し、すでに保存済みのアプリケーションデータ８（管理情報領域９、ユーザデータ領域１１）と組み合わせることにより（ステップＡ１７）、保存されているユーザデータを使用可能とする。空きエリアがない場合は、処理を終了する。
【００６５】
本機能により、ブラウザ等からアプリケーションをダウンロードした際に、保存されているユーザデータを使用するかを選択可能となる。
【図面の簡単な説明】
【００６６】
【図１】本発明に関わる携帯端末の構成例を示す図である。
【図２】本発明の一実施例を示すアプリケーション処理手段４のブロック図である。
【図３】アプリケーション削除時のアプリケーション処理手段４の動作を示す図である。
【図４】アプリケーション削除時の表示の例を示す図である。
【図５】アプリケーション領域１０のみを削除したアプリケーションを再ダウンロードする際のアプリケーション処理手段４の動作を示す図である。
【図６】アプリケーションを再ダウンロードする際の表示の例を示す図である。
【図７】アプリケーションをダウンロードした際のアプリケーション処理手段４の動作を示す図である。
【符号の説明】
【００６７】
１    入力装置
２    出力装置
３    通信装置
４    アプリケーション処理手段
５    通信処理手段
６    データ処理装置
７    データ記憶装置
８    アプリケーションデータ
９    管理情報領域
１０    アプリケーション領域
１１    ユーザデータ領域
１２    アプリケーション管理部
１３    アプリケーション登録部
１４    管理情報登録部
１５    アプリケーション削除部
１６    ユーザデータ削除部
１７    アプリケーション実行部
【図１】
2005157657.tif 000003
【図２】
2005157657.tif 000004
【図３】
2005157657.tif 000005
【図４】
2005157657.tif 000006
【図５】
2005157657.tif 000007
【図６】
2005157657.tif 000008
【図７】
2005157657.tif 000009